(57)【要約】  本発明は、ジャッキ動作中に互いに対して移動するジャッキ・シャフト（２）及びフレーム（３）を有するハンドヘルド・ジャッキ／レベリング・ツールを記載する。これはさらに、ジャッキ動作を提供するコーキングガン・ジャッキ機構（１）と、フレーム（３）及びジャッキ・シャフト（２）の一方に取り付けられた２つの外側レッグ（５，７）と、フレーム及びジャッキ・シャフトの他方に取り付けられた１つの中央レッグ（６）であって、左右の外側レッグ（５，７）の間に位置する１つの中央レッグ（６）とを有する。さらに、ジャッキ／レベリング・ツールは、各レッグに直角に取り付けられた足部（８，９，１０）であって、同じ方向を向いた足部（８，９，１０）を有する。ジャッキ動作は、ジャッキ・シャフト（２）を、フレーム（３）を通して下方に動かす。
2021514336.tif 000002
【特許請求の範囲】
【請求項１】
ジャッキ動作中に互いに対して移動するジャッキ・シャフト（２）及びフレーム（３）と、
前記ジャッキ動作を提供するコーキングガン・ジャッキ機構（１）と
を有するハンドヘルド・ジャッキ／レベリング・ツールであって、
前記フレーム（３）及びジャッキ・シャフト（２）の一方に取り付けられた２つの外側レッグ（５，７）と、
前記フレーム及びジャッキ・シャフトの他方に取り付けられた、前記外側レッグ（５，７）間に位置する１つの中央レッグ（６）と、
各レッグ（５，６，７）に直角に取り付けられた足部（８，９，１０）であって、同じ方向を向いた足部（８，９，１０）と
を有し、また前記ジャッキ動作により、前記ジャッキ・シャフト（２）は前記フレーム（３）を通って下方に移動することを特徴とする、ハンドヘルド・ジャッキ／レベリング・ツール。
【請求項２】
前記２つの外側レッグ（５，７）が前記フレーム（３）に取り付けられ、前記１つの中央レッグ（６）が前記ジャッキ・シャフト（２）に取り付けられていることを特徴とする、請求項１に記載のジャッキ／レベリング・ツール。
【請求項３】
支持プレート（１４）が前記中央足部に取り付けられ、前記２つの外側足部を取り囲んでいることを特徴とする、請求項１に記載のジャッキ／レベリング・ツール。
【請求項４】
前記中央足部が、前記中央足部と同一面内に延びる後方支持部（１３）を有することを特徴とする、請求項１及び２に記載のジャッキ／レベリング・ツール。
【請求項５】
前記ジャッキ・シャフトが、丸みを帯びたいフラットバーであることを特徴とする、請求項１に記載のジャッキ／レベリング・ツール。
【請求項６】
開始位置が、前記左右の足部よりも前記フレームの近くに位置する前記中央足部を有することを特徴とする、請求項１に記載のジャッキ／レベリング・ツール。
【請求項７】
前記中央足部が、前記レッグの近くのそれぞれの側に、半円を描くインデント（１１ａ，１２ａ）を有し、前記左足部（８）及び前記右足部（１０）のそれぞれが、対応するインデント（１１ｂ，１２ｂ）を右側及び左側にそれぞれ有することを特徴とする、請求項１に記載のジャッキ／レベリング・ツール。
【請求項８】
すべての足部が同じ断面を有することを特徴とする、請求項１に記載のジャッキ・ツール。
【請求項９】
前記ジャッキ・シャフトが、相対的に短い後方側部及び前方側部を有する丸みを帯びた長方形のような断面を有し、相対的に長い側部が、前後方向と平行であることを特徴とする、請求項１に記載のジャッキ・ツール。
【請求項１０】
前記ジャッキ・シャフトが、一方又は両方の側部にギザギザのエッジを有することを特徴とする、請求項１に記載のジャッキ・ツール。
【発明の詳細な説明】
【技術分野】
【０００１】
本発明は手持式ツールに関し、より具体的には、対象物のリフト（持ち上げ）及びレベリング（高さ調整）、ロープ又はストラップの締付け、物体の分離などの多くの作業に使用可能な手動ジャッキ・ツールに関する。
【背景技術】
【０００２】
コーキングガンがツール業界でよく知られており、数十年前から市場に存在している。それらは、例えば米国特許第４，００９，８０４号明細書に記載されるポンプ又はジャッキ機構を含む。この機構は製造が安価で容易であり、また摩擦が非常に小さい。
【０００３】
建築業界では、ドア、窓又は梁などの対象物の持ち上げ、保持及びレベリングの組み合わせの必要がばしば生じる。この目的のために、トージャッキが使用されることがあるが、高負荷バージョンしか見られない。トージャッキは通常、２つの固定された外側足部と、中央足部とを備えたジャッキであり、中央足部は上向き方向に、また時には下向き方向に引き上げ（ジャッキ）可能である。現在まで、片手で操作可能な軽量ハンドヘルド・トージャッキは見られなかった。本発明は、この問題に対する安価で容易な解決策を提供する。
【先行技術文献】
【特許文献】
【０００４】
【特許文献１】米国特許第４，００９，８０４号明細書
【発明の概要】
【０００５】
本発明はハンドヘルド・ジャッキ／レベリング・ツールを記載するものであり、このツールは、ジャッキ動作中に互いに対して動くジャッキ・シャフト及びフレームと、ジャッキ動作を提供するコーキングガン・ジャッキ機構とを有する。ツールは、フレームとジャッキ・シャフトのうちの一方に取り付けられた２つの外側レッグをさらに有する。ジャッキ・ツールはさらに、フレームとジャッキ・シャフトのうちの他方に取り付けられた１つの中央レッグを有し、これは左右の外側レッグの間に配置される。ジャッキ・ツールはさらに、各レッグに直角に取り付けられた足部であって、同じ方向を向いた足部を有する。ジャッキ動作は、フレームを通して下方にジャッキ・シャフトを動かす。
【０００６】
本発明のより良い理解のために、図を参照してデバイスが説明される。異なる図における類似の数字は類似の部分を示す。図は、本発明の実施例を例示するものである。
【図面の簡単な説明】
【０００７】
【図１ａ】中央足部と、フレームに取り付けられる２つの外側足部とを備えたジャッキ・シャフトを示す、異なる視点のうちの１つから見た図である。
【図１ｂ】中央足部と、フレームに取り付けられる２つの外側足部とを備えたジャッキ・シャフトを示す、異なる視点のうちの１つから見た図である。
【図１ｃ】中央足部と、フレームに取り付けられる２つの外側足部とを備えたジャッキ・シャフトを示す、異なる視点のうちの１つから見た図である。
【図１ｄ】中央足部と、フレームに取り付けられる２つの外側足部とを備えたジャッキ・シャフトを示す、異なる視点のうちの１つから見た図である。
【図２ａ】コーキングガン・ジャッキ機構に取り付けられたジャッキ・シャフト及び３つのレッグを示す図である。
【図２ｂ】コーキングガン・ジャッキ機構に取り付けられたジャッキ・シャフト及び３つのレッグを示す図である。
【図２ｃ】コーキングガン・ジャッキ機構に取り付けられたジャッキ・シャフト及び３つのレッグを示す図である。
【図３】中央足部が、取り付けられた支持プレートを有している実施形態を示す図である。
【図４】中央足部が、取り付けられた後方支持部を有している実施形態を示す図である。
【図５】３つの足部がすべて同じ形状を有している実施形態を示す図である。
【図６】ギザギザのエッジを備えたジャッキ・シャフトを示す図である。
【発明を実施するための形態】
【０００８】
本明細書において、ハンドヘルド・ジャッキが、足部を下にして直立しているものと仮定している。左右は、後方から見たものである。ハンドルは後方に存在し、足部は前方を向いている。コーキングガン・ジャッキ機構は当業者にはよく知られており、ここでは詳細に説明しない。
【０００９】
本発明は、互いに対して相対的に動くジャッキ・シャフト２とフレーム３とを有するハンドヘルド・ジャッキ／レベリング・ツールを記載する。ジャッキ・ツールは、ジャッキ・シャフトとフレーム３との間にジャッキ動作を提供するジャッキ機構１をさらに有する。さらに、ジャッキ・ツールは、フレーム２及びジャッキ・シャフト２のうちの一方に取り付けられた２つの外側レッグ５，７と、フレーム及びジャッキ・シャフトのうちの他方に取り付けられた１つの中央レッグ６であって、外側レッグ５，７の間に位置する中央レッグ６とを有する。ジャッキ・ツールは、各レッグ５，６，７に直角に取り付けられた足部（８，９，１０）であって、同じ方向を向いた足部（８，９，１０）も有する。
【００１０】
換言すれば、レッグには２つの構成がある。すなわち、（１）ジャッキ・シャフトに取り付けられた１つのレッグ、及びフレームに取り付けられた２つレッグと、（２）ジャッキ・シャフトに取り付けられた２つのレッグ、及びフレームに取り付けられた１つのレッグとである。構成（１）において、ジャッキ・シャフト２及び中央レッグ６は互いに一体化されている。一方、構成（２）において、レッグとシャフトの違いが明白になる。
【００１１】
足部、レッグ、ジャッキ・シャフト及びフレームの関係は図１ａ〜１ｄに描かれており、構成（２）は示されていない。
【００１２】
ジャッキ機構１の好ましい実施形態は、図２ａ〜２ｃにおいて異なる斜視図に示されるように、コーキングガン・ジャッキ機構である。これは非常に軽量で、摩擦はほぼない。ハンドル４を操作するのに費やされるほぼすべてのエネルギーがジャッキ・シャフト２の移動に変換される。ジャッキ・シャフトの断面は、正方形、長方形、円形又は楕円形であってもよい。好ましい実施形態では、ジャッキ・シャフトは、丸みを帯びたフラットバー（ｒｏｕｎｄｅｄ  ｆｌａｔ  ｂａｒ）である。そのようなジャッキ・シャフトの断面は、相対的に短い後方側部と前方側部を備えた、丸みを帯びた長方形である。ジャッキ・シャフトは、その全長に沿って同じ断面を有する。ジャッキ・シャフトは、断面のより長い側部が前後方向に平行となるように配向されていることは明白である。
【００１３】
しかし、コーキングガン機構は、振動又はやチョック（ｃｈｏｃｋ）を受けたとき、滑ることがある。これは、図６に示すように、ジャッキ・シャフト２の後方側部及び／又は前側部に微小歯、ギザギザのエッジ又は類似の形状を使用することで、軽減することができる。通常、ジャッキ機構と係合するのはジャッキ・シャフトの後方側部であろう。ギザギザのエッジ（ｊａｇｇｅｄ  ｅｄｇｅ）は、コーキングガン・ジャッキ機構のジャッキ部分に対応する形状を有するべきである。シャフトは、前方側部及び後方側部の一方又は両方にギザギザのエッジを有していてもよい。
【００１４】
好ましい実施形態では、中央レッグはジャッキ・シャフトに取り付けられている。これは、コーキングガン・ジャッキ機構の構造により最もシンプルな構成である。ジャッキ機構を操作すると、ジャッキ動作は、ジャッキ・シャフト２に取り付けられた中央レッグ６をフレーム３から離れるように動かす。もし中央レッグがフレームに取り付けられているなら、左右のレッグはジャッキ・シャフトに取り付けられなければならない。これは、中央レッグがジャッキ・シャフト及び／又は外側レッグと抵触するため、ジャッキ・シャフトの動きに制限を与える。それゆえ、それはあまり好ましくない実施形態である。
【００１５】
他の実施形態では、ジャッキ機構は、ジャッキ・シャフト上の噛み合いネジ山と、フレームに取り付けられたナットとを有する。さらに他の実施形態では、ジャッキ機構は、ジャッキ・シャフト上のピッチラックを有する。それぞれの実施形態において、適切な構成のピニオンがラック又はナットに接続されなければならない。これらの２つの実施形態は、油圧技術、電気学又は空気圧技術によって容易に駆動され得る。
【００１６】
１つの実施形態では、ハンドヘルド・ジャッキ・ツールは、ロープを締付ける（張りつめる）ために使用される。この目的のために、図１ｄに見られるように、中央足部９はそれぞれの側に、好ましくはレッグの近くに、半円を描くインデント１１ａ，１１ｂを有し、左足部８及び右足部１０はそれぞれ、それぞれの左側及び右側に、対応するインデント１２ｂ，１２ａを有する。ロープが中央足部９の下及び外側足部８，１０の上に巻かれると、ロープは、中央足部が下方に押されることにより締付けられる。ネジ切り（ｔｈｒｅａｄｉｎｇ）を容易にするために、開始位置が、左右の足部よりもフレームの近くに位置する中央足部を有していると有利である。ストラップが、インデントによって、又はインデントなしで締付けられてもよい。足部の間の距離は、ロープ又はストラップの容易なネジ切りを可能にする。
【００１７】
１つの実施形態では、ジャッキ機構とジャッキ・ハンドルを含むフレームの上部が、フレームの下部に回転可能に取り付けられており、ジャッキ・シャフトの周りを回転してもよい。ジャッキ・シャフトが丸い場合、この構成は含むことが容易である。
【００１８】
他の実施形態では、ハンドヘルド・ジャッキ／レベリング・ツールは、図３に示すように足部と同一面内に取り付けられた支持プレート（１４）を有する。支持プレートは、２つの外側足部を取り囲んでいてもよい。この支持プレートは、より広い領域に重量を分布させ、安定性を高めるであろう。他の実施形態では、中央足部９は、図４に示すように後方支持部（１３）を備える。後方支持部は、中央足部の後部に取り付けられたプレートであり、足部と同一面内で側方に向かって延びている。図５は、同じ形状の３つの足部を備えた実施形態を示している。
【符号の説明】
【００１９】
１  ジャッキ機構
２  ジャッキ・シャフト
３  フレーム
４  ハンドル
５  左レッグ
６  中央レッグ
７  右レッグ
８  左足部
９  中央足部
１０右足部
１１ａ、１１ｂ  中央足部の右側及び左側インデント
１２ａ、１２ｂ  右足部及び左足部のインデント
１３  後方支持部
１４  支持プレート
【図１ａ】
2021514336.tif 000003
【図１ｂ】
2021514336.tif 000004
【図１ｃ】
2021514336.tif 000005
【図１ｄ】
2021514336.tif 000006
【図２ａ】
2021514336.tif 000007
【図２ｂ】
2021514336.tif 000008
【図２ｃ】
2021514336.tif 000009
【図３】
2021514336.tif 000010
【図４】
2021514336.tif 000011
【図５】
2021514336.tif 000012
【図６】
2021514336.tif 000013
【国際調査報告】
2021514336.tif 000014
2021514336.tif 000015
2021514336.tif 000016